(57)【要約】【課題】  棚板脚部及び筒状部の上下方向の長さを棚板本体の厚みよりも大きくでき、これにより棚板を誤って強く引張ったりした場合にも棚板脚部や筒状部が変形したり破損したりすることを防止でき、且つ筒状部により棚板を水平方向に位置決めした状態で支持部材に強固に取付けて棚板が支持部材から脱落することを確実に防止でき、棚板の上面の全部に物を載置することができ、棚板取付け状態における意匠性を向上できる。【解決手段】  棚板本体５と、該棚板本体５の壁面８側の端部から下方に突設した棚板脚部９とを有する棚板１を形成する。壁面８に固着される壁面固着部３を有する支持部材２に上方に開口する筒状部１３を設ける。壁面８の任意の位置に前記支持部材２の壁面固着部３を固着する。支持部材２の筒状部１３内に上方から棚板１の棚板脚部９を嵌め込む。【選択図】        図１
2005095428.tif 000002
【特許請求の範囲】
【請求項１】
棚板本体と、該棚板本体の壁面側の端部から下方に突設した棚板脚部とを有する棚板を形成し、壁面に固着される壁面固着部を有する支持部材に上方に開口する筒状部を設け、壁面の任意の位置に前記支持部材の壁面固着部を固着し、支持部材の筒状部内に上方から棚板の棚板脚部を嵌め込んでなることを特徴とする棚板の取付け構造。
【請求項２】
上記棚板本体の壁面側の端面に壁面側及び上方に開口する脚部挿入溝を設け、化粧横片と、該化粧横片の下面の壁面側の端から下方に突設した化粧カバー脚部とを有する化粧カバーを形成し、棚板本体の脚部挿入溝の上方から化粧カバーの化粧カバー脚部を壁面と脚部挿入溝の奥面との間に圧入し、化粧横片の下面を棚板本体の上面に当接してなることを特徴とする請求項１記載の棚板の取付け構造。
【請求項３】
上記支持部材の筒状部の一部に平板状の上記壁面固着部を形成し、該壁面固着部に固着具打入部を形成し、支持部材の筒状部の前記固着具打入部に対向する部分に固着具を挿通するための固着具挿通用開口部を設け、該支持部材の筒状部に被係止部を設け、該支持部材の筒状部の固着具挿通用開口部を含む外側面を覆う支持部材カバーの内側面に係止部を設け、支持部材カバーの係止部を支持部材の被係止部に係止し、壁面固着部を該固着具打入部に打入した固着具により壁面に固着してなることを特徴とする請求項１又は２記載の棚板の取付け構造
【請求項４】
上記支持部材カバーの上端部に内方に突出する係止突部を複数設け、これら複数の係止突部を上記係止部とし、支持部材の筒状部の上端に上方に開口する複数の被係止用切欠きを設け、これら複数の被係止用切欠きを上記被係止部とし、支持部材カバーの各係止突部を各被係止用切欠き内に配し、支持部材カバーの各係止突部を棚板本体の下面と被係止用切欠きの底面とで挟持してなることを特徴とする請求項３記載の棚板の取付け構造。
【発明の詳細な説明】
【技術分野】
【０００１】
本発明は、部屋や、建物、設置物などの壁面に取付けられる棚板の取付け構造に関する。
【背景技術】
【０００２】
従来から部屋等の壁面に取付けて使用される棚板が知られている。この棚板は図４に示すように壁面に固定された支持部材２′に前方に開口する溝３０を形成し、該溝３０に棚板１′の後端部に形成した差し込み部を差し込み、支持部材２′の上面又は下面から図示しないいもねじ等で棚板１′の差し込み部３１を固定したものである。
【０００３】
しかしこの棚板１′はいもねじ及び溝３０の底面にて水平方向に支持してあるだけであるため、棚板１′の取付け強度が弱く、棚板１′が水平方向にがたついてしまったり、また棚板１′を誤って強い力で引張ってしまった時等には棚板１′が溝から前方や側方に抜けてしまうことがあり、またいもねじが外部に露出して外観が悪いという問題がある。
【０００４】
また上記とは別の従来例として、上下一対の側面視三角形状の支持体からなる支持部材を有し、上下一対の支持体間に棚板を挟み、棚板の両支持体間に挟まれた壁面側端部に通し孔を形成し、該通し孔に支持体から突出した突部を挿通した棚板の取付け構造が知られており、このように突部を通し孔に通すことで棚板が水平方向にがたつくことはある程度度防止できる（例えば、特許文献１参照）。
【０００５】
しかしながらこの特許文献１に示す従来例にあっては支持体から突出した突部と棚板とが接する部分は棚板の厚み以下の長さに規制されてしまうため、これにより棚板を誤って強く引張った場合等には突部の変形や破損、棚板の孔近傍の破損等が起こってしまうことがあり、結果、棚板を強固に支持部材に取付けることができなかった。またこの特許文献１に示すものにあっては、棚板の上面に側面視三角形状の上の支持体が大きく突出してしまうため支持体が邪魔になって棚板の壁面側の端部に物を載置することができず、また外観も悪かった。
【特許文献１】特開２００２−２６２９５２号公報
【発明の開示】
【発明が解決しようとする課題】
【０００６】
本発明は上記の従来の問題点に鑑みて発明したものであって、棚板を誤って強く引張ったりした場合にも棚板脚部や筒状部が変形したり破損したりすることを防止でき、且つ筒状部により棚板を水平方向に位置決めした状態で支持部材に強固に取付けて棚板が支持部材から脱落することを確実に防止でき、加えて棚板の上面の後端部を含む全部に支障なく物を載置することができ、棚板取付け状態における意匠性を向上した棚板の取付け構造を提供することを課題とするものである。
【課題を解決するための手段】
【０００７】
上記課題を解決するために本発明に係る棚板の取付け構造は、棚板本体５と、該棚板本体５の壁面８側の端部から下方に突設した棚板脚部９とを有する棚板１を形成し、壁面８に固着される壁面固着部３を有する支持部材２に上方に開口する筒状部１３を設け、壁面８の任意の位置に前記支持部材２の壁面固着部３を固着し、支持部材２の筒状部１３内に上方から棚板１の棚板脚部９を嵌め込んでなることを特徴とする。
【０００８】
このように支持部材２の筒状部１３内に上方から棚板１の棚板脚部９を嵌め込んで棚板１を支持部材２に取付けることで、棚板脚部９及び筒状部１３の上下方向の接合部分の長さは棚板本体５の厚みに規制されず、棚板本体５の厚みよりも大きくでき、これにより棚板１を誤って強く引張ったりした場合にも棚板脚部９や筒状部１３が変形したり破損したりすることを防止でき、且つ筒状部１３により棚板１を水平方向に位置決めした状態で支持部材２に強固に取付けて、棚板１が支持部材２から脱落することを確実に防止できる。さらにはこのような取付け構造にあっては、棚板1の上面から上方に突出する物を無くして平坦な面とでき、これにより棚板1の上面の後端部を含む全部に物を支障なく載置することができ、また棚板１取付け状態における意匠性を向上できる。
【０００９】
また請求項２は請求項１において、上記棚板本体５の壁面８側の端面に壁面８側及び上方に開口する脚部挿入溝６を設け、化粧横片２４と、該化粧横片２４の下面の壁面８側の端から下方に突設した化粧カバー脚部２５とを有する化粧カバー７を形成し、棚板本体５の脚部挿入溝６の上方から化粧カバー７の化粧カバー脚部２５を壁面８と脚部挿入溝６の奥面との間に圧入し、化粧横片２４の下面を棚板本体５の上面に当接してなることを特徴とする。
【００１０】
このように脚部挿入溝６の上方から化粧カバー７の化粧カバー脚部２５を壁面８と脚部挿入溝６の奥面との間に圧入して化粧カバー７を壁面８に対して固定し、この化粧カバー７の化粧横片２４の下面を棚板本体５の上面に当接することで、棚板本体５を支持部材２と化粧カバー７の化粧横片２４とで挟持して、化粧カバー７により棚板１が上方に抜けることを防止でき、しかもこのような取付け構造にあっては棚板１の上面には厚みの薄い化粧横片４のみが露出することとなって、棚板１の上面から上方に大きく突出する物を無くして平坦な面とでき、棚板１の上面の後端部にも物を載置することが可能となり、また棚板１の意匠性を向上できる。
【００１１】
また請求項３は請求項１又は請求項２において、上記支持部材２の筒状部１３の一部に平板状の上記壁面固着部３を形成し、該壁面固着部３に固着具打入部１７を形成し、支持部材２の筒状部１３の前記固着具打入部１７に対向する部分に固着具１６を挿通するための固着具挿通用開口部を設け、該支持部材２の筒状部１３に被係止部を設け、該支持部材２の筒状部１３の固着具挿通用開口部を含む外側面を覆う支持部材カバー４の内側面に係止部を設け、支持部材カバー４の係止部を支持部材２の被係止部に係止し、壁面固着部３を該固着具打入部１７に打入した固着具１６により壁面８に固着してなることを特徴とする。
【００１２】
このように支持部材２の筒状部１３の前記固着具打入部１７に対向する部分に固着具１６を挿通するための固着具挿通用開口部を設けることで、支持部材２の固着具挿通用開口部に通した固着具１６を固着具打入部１７に打入し、この打入した固着具１６により壁面固着部３を壁面８に固着して、壁面固着部３を固着具１６により簡単に壁面８に取付けることができ、しかもこの場合、支持部材カバー４を支持部材２に取付けることで、支持部材カバー４により固着具挿通用開口部及び固着具１６を覆うことができ、これにより固着具挿通用開口部及び固着具１６が支持部材２の外部に露出せず更に意匠性を向上できる。
【００１３】
また請求項４は請求項１〜３のいずれかにおいて、上記支持部材カバー４の上端部に内方に突出する係止突部２３を複数設け、これら複数の係止突部２３を上記係止部とし、支持部材２の筒状部１３の上端に上方に開口する複数の被係止用切欠き２２を設け、これら複数の被係止用切欠き２２を上記被係止部とし、支持部材カバー４の各係止突部２３を各被係止用切欠き２２内に配し、支持部材カバー４の各係止突部２３を棚板本体５の下面と被係止用切欠き２２の底面とで挟持してなることを特徴とする。
【００１４】
このように支持部材カバー４の各係止突部２３を棚板本体５の下面と被係止用切欠き２２の底面とで挟持することで、支持部材カバー４が被係止用切欠き２２から脱落することを防止できて、支持部材カバー４の取付けが強固になる。
【発明の効果】
【００１５】
本発明では、棚板脚部及び筒状部の上下方向の長さを棚板本体の厚みよりも大きくでき、これにより棚板を誤って強く引張ったりした場合にも棚板脚部や筒状部が変形したり破損したりすることを防止でき、且つ筒状部により棚板を水平方向に位置決めした状態で支持部材に強固に取付けて棚板が支持部材から脱落することを確実に防止でき、しかも棚板の上面の全部に物を載置することができ、棚板取付け状態における意匠性を向上できる。
【発明を実施するための最良の形態】
【００１６】
以下本発明を添付図面に示す実施形態に基いて説明する。図１には本実施形態の棚板の取付け構造に用いられる、小物等を載置するための上面が平坦面となった平板状の棚板１と、壁面８に固着される壁面固着部３を有する支持部材２と、該支持部材２の壁面固着部３を除く全外側面を覆う支持部材カバー４と、棚板本体５の上面の一部及び後述する棚板本体５の脚部挿入溝６を覆う化粧カバー７とを示してある。
【００１７】
棚板１は平板状の棚板本体５と、棚板本体５の壁面８側の端部から下方に突設した棚板脚部９とからなり、棚板脚部９の突出長さは棚板本体５の厚みよりも大きく形成されている。
【００１８】
棚板本体５の壁面８側の端面の幅方向の一部（中央部）には上方及び壁面８側に開口する脚部挿入溝６を形成してあり、該脚部挿入溝６は角状の大溝部１０と、大溝部１０の幅方向中央部に設けた大溝部１０よりも幅の小さな角状の小溝部１１とからなる。
【００１９】
棚板脚部９は平面視壁面８と反対側に突となる半円状（又は半楕円状）に形成されており、棚板本体５の下面の幅方向において大溝部１０と重なる部分の壁面８側の端から下方に突設している。この半円状の棚板脚部９の弦を形成する壁面８側の端面は棚板１の大溝部１０の奥面と面一となっており、また幅は大溝部１０の溝幅と同じである。また棚板脚部９の壁面８側の面には上下方向全長に亘って前記棚板本体５の小溝部１１を下方に延設してなる突部挿入溝１２を形成してあり、つまり突部挿入溝１２は壁面８側及び下方に開口し、さらには小溝部１１を介して上方に開口している。
【００２０】
壁面８に固着される支持部材２は平面視壁面８の反対側に突となる半円筒状（半楕円筒状であっても良い）の筒状部１３からなる。この筒状部１３は上方に開口し、その上下方向の長さは棚板本体５の厚みよりも長く棚板脚部９の突出長さと略同じ長さである。ここで筒状部１３は上下両方に開口する無底筒状に形成されてあっても良いし、また上方のみに開口する有底筒状に形成されてあっても良いものとする。この半円筒状の筒状部１３は円弧部分を形成する周壁１４と、弦部分を形成する平板状の壁面固着部３とを有している。なお壁面固着部３の壁面８側の面は平坦面となっているものとする。筒状部１３の周壁１４の壁面８側の両端部の上端部の夫々には上方に開口する被係止用切欠き２２を設けている。また壁面固着部３の上部の幅方向中央部は後述の固着具１６を打入する固着具打入部１７となっており、該固着具打入部１７には壁面８の反対側の端部にざぐり部１８を有する固着具用孔１９を形成してある。また周壁１４の固着具打入部１７に対向する部分には上方に開口すると共に固着具１６の頭部２０よりも大きな切欠き２１を設けてあり、該切欠き２１を前記固着具１６を挿通するための固着具挿通用開口部としている。このように筒状部１３に切欠き２１を設けることで、後述する固着具１６により壁面固着部３を壁面８に固着する際に、固着具１６を切欠き２１に通すことができ、これにより壁面固着部３を固着具１６により簡単に壁面８に取付けることができる。
【００２１】
上記支持部材２の周壁１４の切欠き２１を含む外側面を覆う支持部材カバー４は上方に開口する平面視円弧状の半割り筒状に形成されており、その内側面の径は支持部材２の外側面の径と同じで、またその上下方向の長さは支持部材２の上下方向の長さと同じである。また支持部材カバー４の内側面の壁面８側の両端部の上端部の夫々には内方に突出する係止突部２３を形成している。なお支持部材カバー４は下方を遮蔽し、前記周壁１４の外側面に加えて支持部材２又は支持部材２及び棚板脚部９の下面を覆うものとしても良く、また上下両方に開口してあって支持部材２又は支持部材２及び棚板脚部９の下面を覆わず露出させるものであっても良いものとする。
【００２２】
化粧カバー７は樹脂製であって、平面視半円状の化粧横片２４と、化粧横片２４の下面の壁面８側の端から下方に突設した化粧カバー脚部２５とからなる。化粧カバー脚部２５は、棚板本体５に設けた大溝部１０の溝幅及び化粧横片２４の後端と同じ幅を有する縦片２６と、縦片２６の幅方向中央部から壁面８の反対側に突設した縦片２６よりも小幅で且つ前記小溝部１０の溝幅と同じ幅を有する嵌め込み突部２７とからなる。嵌め込み突部２７は縦片２６の上下方向全長に亘っており、その下部は縦片２６の下端よりも下方に突出している。
【００２３】
そして上記棚板１を壁面８に取付ける場合は、まず支持部材２の壁面固着部３をその壁面８側の面を壁面８の任意の位置に面接した状態で固着する。壁面固着部３を壁面８に固着する場合は、まず固着具１６を支持部材２の切欠き２１に通した後、この切欠き２１を通した固着具１６を壁面８の反対側から支持部材２の固着具用孔１９に挿入し、この固着具１６の脚部２８を壁面８に固着する。このように固着具打入部１７に打入した固着具１６の頭部２０は固着具用孔１９のざぐり部１８内に配され、頭部２０は壁面固着部３の壁面８と反対側の面よりも壁面８側に位置することとなる。
【００２４】
次に上記支持部材２に支持部材カバー４を取付ける。支持部材カバー４を取付ける場合は、支持部材カバー４の内側に支持部材２を配すると共に、各係止突部２３、２３を支持部材２の各被係止用切欠き２２、２２内に配し、各被係止用切欠き２２、２２の底面に各係止突部２３、２３を引っ掛けて係止し、これにより支持部材２の周壁１４の外側面全てが支持部材カバー４により覆われる。このように支持部材カバー４を支持部材２に取付けることで、筒状部１３の外側面を覆う支持部材カバー４により切欠き２１、固着具１６、被係止用切欠き２２を覆ってこれらを外部に露出しないようにでき、意匠性が向上する。
【００２５】
次に図２に示すように上記支持部材２の筒状部１３内に棚板１の棚板脚部９を上方から挿入して、棚板脚部９の突部挿入溝１２を除く全周側面を筒状部１３の全内周側面に当接した状態でぴったりと嵌め込み、同時に棚板本体５を支持部材２の周壁１４の上面に載置し、同時に棚板本体５の下面と各被係止用切欠き２２の底面とで上記各係止用切欠き２２、２２内に配された被係止突部２３、２３を挟持する。このように支持部材カバー４の各係止突部２３を棚板本体５の下面と被係止用切欠き２２の底面とで挟持することで、支持部材カバー４が被係止用切欠き２２から脱落することを防止できて、支持部材カバー４の取付けが強固になる。
【００２６】
そして最後に化粧カバー７の化粧カバー脚部２５を棚板本体５の脚部挿入溝６の奥面と壁面８との間に圧入すると共に、化粧横片２４を棚板本体５の上面に当接して、化粧カバー７を取付ける。詳述するとこの場合、化粧カバー脚部２５の縦片２６はその壁面８と反対側の面が大溝部１０の奥面に圧接し且つその壁面８側の面が壁面８に圧接した状態で棚板本体５の大溝部１０の奥面と壁面８との間に圧入され、嵌め込み突部２７の縦片２６の壁面８と反対側に位置する部分はその壁面８と反対側の面が小溝部１１の奥面に圧接した状態で棚板本体５の小溝部１１内に圧入され、また嵌め込み突部２７の縦片２６よりも下方に突出した部分はその壁面８の反対側の面が前記小溝部１１と連続する突部挿入溝１２の奥面に圧接すると共にその壁面８側の面が支持部材２の壁面固着部３の壁面８と反対側の面に圧接した状態で、突部挿入溝１２内に圧入される。このように化粧カバー脚部２５を棚板本体５の脚部挿入溝６の奥面と壁面８との間に圧入して化粧カバー７を壁面８に対して固定し、化粧横片２４を棚板本体５の上面に当接することで、棚板本体５を支持部材２と化粧カバー７の化粧横片２４とで挟持して、化粧カバー７により棚板１が上方に抜けることを防止でき、さらには前述したように嵌め込み突部２７の縦片２６よりも下方に突出した部分を突部挿入溝１２内に圧入することで、棚板脚部９を支持部材２の筒状部１３内に強固に嵌め込むことができ、これにより棚板１ががたつくことをさらに防止できる。
【００２７】
しかして棚板１は図３に示すように棚板本体５の壁面８側の端面を壁面８に当接した状態で水平に保持されて壁面８に取付けられ、この棚板本体５の上面に物を戴置する等して利用される。
【００２８】
上記のように支持部材２の筒状部１３内に上方から棚板１の棚板脚部９を嵌め込んで棚板１を支持部材２に取付けることで、棚板脚部９及び筒状部１３の接する部分の上下方向の長さを棚板本体５の厚みよりも大きくでき、これにより棚板１を誤って強く引張ったりした場合にも棚板脚部９や筒状部１３が変形したり破損したりすることを抑えることができ、且つ筒状部１３により棚板１を水平方向にがたつくことなく支持部材２に強固に取付けることができる。
【図面の簡単な説明】
【００２９】
【図１】本発明の棚板の取付け構造の実施形態の一例を示す分解斜視図である。
【図２】同上の棚板の取付けの説明に用いた説明図である。
【図３】同上の棚板の取付け構造を示す側断面図である。
【図４】従来の棚板の取付け構造の一例を示す分解斜視図である。
【符号の説明】
【００３０】
１  棚板
２  支持部材
３  壁面固着部
４  支持部材カバー
５  棚板本体
６  脚部挿入溝
７  化粧カバー
８  壁面
９  棚板脚部
１３  筒状部
１６  固着具
１７  固着具打入部
２２  被係止用切欠き
２３  係止突部
２４  化粧横片
２５  化粧カバー脚部
【図１】
2005095428.tif 000003
【図２】
2005095428.tif 000004
【図３】
2005095428.tif 000005
【図４】
2005095428.tif 000006